(57)【要約】【課題】スライド機構を有する折り畳み式電子機器において、開状態からの閉じ動作をスムーズに行なえるようにする。【解決手段】第１筐体10と、第２筐体20と、該第２筐体に配備され、該第２筐体に対してスライド可能且つ回動可能に付勢されたスライド機構40と、一対のヒンジ軸31、32を平行に具え、一方のヒンジ軸が第１筐体、他方のヒンジ軸がスライド機構に連繋された平行２軸ヒンジと、を具えた折り畳み式電子機器において、前記第１筐体と第２筐体が略同一平面となる開状態で、前記第１筐体と第２筐体が向かい合う端面18、28の一方に突設された掛かり片15と、他方の端面に凹設され、前記掛かり片が当接する受け部25と、を具える。【選択図】図７
2013118437.tif 000002
【特許請求の範囲】
【請求項１】
第１筐体と、
第２筐体と、
該第２筐体に配備され、該第２筐体に対してスライド可能且つ回動可能に付勢されたスライド機構と、
一対のヒンジ軸を平行に具え、一方のヒンジ軸が第１筐体、他方のヒンジ軸がスライド機構に連繋された平行２軸ヒンジと、
を具えた折り畳み式電子機器において、
前記第１筐体と第２筐体が略同一平面となる開状態で、前記第１筐体と第２筐体が向かい合う端面の一方に突設された掛かり片と、
他方の端面に凹設され、前記掛かり片が当接する受け部と、
を具えることを特徴とする折り畳み式電子機器。
【請求項２】
前記掛かり片と受け部との当接は、両筐体を開状態から相対的に閉じる方向に回転させる途上で解かれる請求項１に記載の折り畳み式電子機器。
【発明の詳細な説明】
【技術分野】
【０００１】
本発明は、一対の筐体をヒンジ機構により互いに開閉可能に連結してなる折り畳み式電子機器に関するものである。
【背景技術】
【０００２】
折り畳み式電子機器として、互いに平行な２つのヒンジ軸を有する平行２軸ヒンジにより、一対の筐体を連結した電子機器が提案されている(例えば、特許文献１参照)。
特許文献１によれば、各筺体をヒンジ軸を中心として回転させることで、筺体どうしを相対的に開閉可能としている。
【０００３】
これら２つのヒンジ軸は、回転時に両筐体の厚さによって側縁どうしが接触しないように互いに離間しているから、両筐体が同一平面となる開状態としたときには、筐体の端面どうしが離間してしまう。
【０００４】
そこで、開状態では筐体の端面どうしを接近させ、閉状態では筐体どうしを正確に重ね合わせることができるようにバネ付勢によるスライド機構を搭載した構成の折り畳み式電子機器も提案されている。
【０００５】
図８(ａ)乃至図８(ｆ)は、折り畳み式電子機器の通常時の開状態から閉状態に至る過程を示しており、図８(ａ)に示す筐体(10)(20)どうしが略同一平面となる開状態から閉じると、閉じ始めにおいては、筐体(20)は、連結杆(36)を中心として回転し、図８(ｂ)乃至図８(ｅ)、特に図８(ｃ)の丸印部分に示されるように、筐体(20)は、筐体(10)の端面(18)の下に潜り込み、筐体(20)の角部(27)が前記筺体(10)の端面(18)を擦りながら閉じ方向に回転して、図８(ｆ)に示すように閉状態となる。
【先行技術文献】
【特許文献】
【０００６】
【特許文献１】特開２０１０−２４９２０９号公報
【発明の概要】
【発明が解決しようとする課題】
【０００７】
ところが、開状態からの閉じ始めにおいて、筐体(20)の回転方向(図９(ａ)中矢印α)に対して、図９(ａ)中矢印α１で示す筐体(20)に垂直な方向の力が大きく作用すると、筐体(20)は矢印α１方向に押し上げられて、図９(ｂ)乃至図９(ｃ)に示すように、筐体(20)の端面(28)が筐体(10)の角部(19)に乗り上げてしまうことがある。
【０００８】
上記のような閉じ動作で更に筐体(20)を回転させると、特に図９(ｄ)の時点で、筐体(20)の角部(27)を支点とする不自然な回転となる。この状態から更に回転させると、筐体(20)の角部(27)が筐体(10)上を擦りながら図９(ｄ)の矢印β方向に異音と共に勢いよく回転してしまう。
【０００９】
本発明の目的は、スライド機構を有する折り畳み式電子機器において、開状態からの閉じ動作をスムーズに行なえるようにすることである。
【課題を解決するための手段】
【００１０】
本発明に係る折り畳み式電子機器においては、第１筐体と、
第２筐体と、
該第２筐体に配備され、該第２筐体に対してスライド可能且つ回動可能に付勢されたスライド機構と、
一対のヒンジ軸を平行に具え、一方のヒンジ軸が第１筐体、他方のヒンジ軸がスライド機構に連繋された平行２軸ヒンジと、
を具えた折り畳み式電子機器において、
前記第１筐体と第２筐体が略同一平面となる開状態で、前記第１筐体と第２筐体が向かい合う端面の一方に突設された掛かり片と、
他方の端面に凹設され、前記掛かり片が当接する受け部と、
を具える。
【発明の効果】
【００１１】
本発明に係る折り畳み式電子機器によれば、筐体を開状態から閉じ始めたときに、掛かり片と受け部が当接しているから、第２筐体が第１筐体に乗り上げることを防止でき、スムーズに両筐体を閉じることができる。
【図面の簡単な説明】
【００１２】
【図１】図１は、本発明の一実施形態の折り畳み式電子機器の閉状態を示す斜視図である。
【図２】図２は、本発明の一実施形態の折り畳み式電子機器の開状態を示す斜視図である。
【図３】図３は、第２筐体からバックキャビネットを取り外した状態を示す斜視図である。
【図４】図４は、開状態の折り畳み式電子機器を裏返し、第２筐体を分解した状態を示す斜視図である。
【図５】図５は、本発明の一実施形態のヒンジ機構の斜視図である。
【図６】図６(ａ)及び図６(ｂ)は、スライド機構の説明図である。
【図７】図７(ａ)乃至図７(ｅ)は、図２に示されるＶＩＩ−ＶＩＩ線に沿う断面において、本発明の折り畳み式電子機器の開状態から閉状態に至る過程を示す説明図である。
【図８】図８(ａ)乃至図８(ｆ)は、背景技術にて説明する折り畳み式電子機器の通常時の開状態から閉状態に至る過程を示す説明図である。
【図９】図９(ａ)乃至図９(ｅ)は、背景技術にて説明する折り畳み式電子機器の異音発生時の開状態から閉状態に至る過程を示す説明図である。
【発明を実施するための形態】
【００１３】
以下、本発明の実施の形態につき、図面に沿って具体的に説明する。
本発明の一実施形態である折り畳み式電子機器(１)は、図１及び図２に示す如く、第１筐体(10)と第２筐体(20)とを開閉可能に連結して構成され、図１に示す閉状態と図２に示す開状態との間で開閉が可能である。
【００１４】
以下の記載では、「開状態」とは、両筐体(10)(20)を相対的に開いて、両筐体(10)(20)に装着される、表示パネルやタッチパネル等のパネル体(60)(60)を同一方向へ向けて略同一平面上で並べた状態(図２参照)、「閉状態」とは、両筐体(10)(20)を互いにパネル体が接近する方向に閉じて、パネル体どうしを対向させた状態を意味する(図１参照)。
【００１５】
又、図３及び図４に示す如く、第１筐体(10)は、フロントキャビネット(11)とバックキャビネット(12)とを互いに接合して構成され、第２筐体(20)は、フロントキャビネット(21)とバックキャビネット(22)(図３には示さず)とを互いに接合して構成されている。
【００１６】
図１及び図２に示す如く、第１筐体(10)と第２筐体(20)は、ヒンジ機構(30)により連結される。ヒンジ機構(30)は、筐体(10)(20)どうしが連結する端部側の左右に夫々配備された平行２軸ヒンジ(34)(35)により構成することができる。
【００１７】
本実施形態では、図５に詳細に示すように、平行２軸ヒンジ(34)と平行２軸ヒンジ(35)を、連結杆(36)によって連結して構成し、両平行２軸ヒンジ(34)(35)の相対的な角度がずれないようにしている。平行２軸ヒンジ(34)(35)と連結杆(36)は、溶接、ネジ止め、接着等の要領で連結することができ、平行２軸ヒンジ(34)(35)と連結杆(36)を一体に形成することもできる。
【００１８】
なお、平行２軸ヒンジ(34)(35)及び連結杆(36)に強度を具備するために、平行２軸ヒンジ(34)(35)及び連結杆(36)は金属製とすることができる。
【００１９】
平行２軸ヒンジ(34)(35)は、図５に示すように、夫々内向きに第１ヒンジ軸(31)及び第２ヒンジ軸(32)が平行２軸ヒンジ(34)(35)に対して回動可能に突設されており、第１ヒンジ軸(31)は第１筐体(10)に、第２ヒンジ軸(32)は第２筐体(20)に夫々固定されている。なお、平行２軸ヒンジ(34)(35)にヒンジ軸(31)(32)を固定して、ヒンジ軸(31)(32)を筐体(10)(20)に対して回動可能となるように配備することもできる。
【００２０】
第１ヒンジ軸(31)どうし、第２ヒンジ軸(32)どうしを夫々結ぶ軸線Ａ１、Ａ２は互いに平行である。
【００２１】
第１ヒンジ軸(31)と第２ヒンジ軸(32)は、カム等(図示せず)により連繋し、筺体(10)(20)の相対的な回転角度に拘わらず、連結杆(36)が両筺体(10)(20)の開き角度に対して中間の角度を維持できるようにしてもよい。
【００２２】
両筐体(10)(20)は夫々、図５に示す第１ヒンジ軸(31)(軸線Ａ１)及び第２ヒンジ軸(32)(軸線Ａ２)周りに回転する。第１ヒンジ軸(31)(軸線Ａ１)と第２ヒンジ軸(32)(軸線Ａ２)は、回転時に筐体(10)(20)の厚さによって側縁どうしが接触しないように互いに離間している。
【００２３】
このため、筺体(10)(20)を開状態としたときに、筐体(10)(20)どうしが離間してしまう。そこで、筺体(10)(20)どうしを接近させるために、図３及び図４に示す如く、一方のヒンジ軸(図示及び以下では第２筺体(20)に連結される第２ヒンジ軸(32))に対して、筺体(図示及び以下では第２筺体(20))は、スライド機構(40)を介してスライド可能に接続されている。
【００２４】
図６に示すように、スライド機構(40)は、一端が第２ヒンジ軸(32)に嵌装され、長手方向に伸び、他端近傍に第２ヒンジ軸(32)と平行な軸部材(42)を突設してなる左右一対のスライド部材(41)を含む。
【００２５】
スライド機構(40)を具えた折り畳み式電子機器では、一対の筐体(10)(20)は、平行２軸ヒンジ(34)(35)の各ヒンジ軸(31)(32)周りに回転可能であると共に、一方の筐体(20)は、ヒンジ軸(32)に対して回動可能なスライド部材(41)を介してヒンジ軸(32)に取り付けられている。スライド部材(41)は、筐体(20)がスライド部材(41)に対してスライド可能且つ回動可能となるように長孔状の軸受け(29)に嵌まる軸部材(42)により筐体(20)と連結されている。スライド部材(41)はスプリング(44)により筐体(20)へ引き付けられるようにスライド方向に付勢されており、回動方向はスプリング(43)により筐体(20)の外面側へ押し付けられる向きに付勢されている。
【００２６】
スライド部材(41)は、図３及び図４に示すように、第２筺体(20)の両側に形成された溝(23)にスライド可能に嵌まっており、第２筺体(20)に対して前記第２ヒンジ軸(32)方向に往復移動可能となっている。
また、前記軸部材(42)は、溝(23)の側面に形成された長孔状の軸受け(29)に係合し、スライド部材(41)は、第２筐体(20)に対して軸部材(42)回りの回転を許容されている。
【００２７】
図３及び図４の如く、スライド部材(41)(41)間は帯板部材(45)により連結されており、該帯板部材(45)には、スライド部材(41)(41)の突出方向へ左右一対の舌片(46)(46)が突設されている。両舌片(46)(46)と第２筐体(20)のフロントキャビネット(21)との間には、それぞれトーションバネからなる左右一対の第１スプリング(43)((43a)(43b))が介在している。
なお、図３及び図４では、第１スプリング(43)の自由状態(43a)と、第１スプリング(43)が帯板部材(45)の舌片(46)と第２筐体(20)のフロントキャビネット(21)との間に圧縮されて介在している圧縮状態(43b)とを、それぞれ実線で描いている。
【００２８】
また、図３、図４及び図６の如く第２筐体(20)のフロントキャビネット(21)には、左右一対のコイルバネからなる第２スプリング(44)(44)が設置され、各第２スプリング(44)の一方の端部が第２筐体(20)のフロントキャビネット(21)に連結されると共に、各第２スプリング(44)の他方の端部が各スライド部材(41)に連結されている。
【００２９】
この結果、図６(ａ)、図６(ｂ)に模式的に示すように、第１スプリング(43)と第２スプリング(44)が第２筐体(20)をスライド部材(41)に対して付勢し、第１スプリング(43)によって、軸Ａ３回りに第２筐体(20)の開き方向と同じ回転方向(時計方向)に回転させる付勢力Ｔが得られると共に、第２スプリング(44)によって第２筐体(20)をヒンジ軸(32)(軸線Ａ２)に接近させる方向の付勢力Ｆが得られる。
【００３０】
従って、図６(ａ)に示す開状態から、第２筐体(20)を軸Ａ３回りに閉じ方向に回転させると、図６(ｂ)の如くスライド部材(41)に対して第２筐体(20)をヒンジ軸(32)(軸線Ａ２)から離間すると共に、第１スプリング(43)と第２スプリング(44)が弾性変形し、第１スプリング(43)の付勢力Ｔと第２スプリング(44)の付勢力Ｆによって、第２筐体(20)は、第１筐体(10)側に移動する。
【００３１】
上記折り畳み式電子機器(１)においては、図１に示すような閉状態においては、第２筐体(20)の内面を第１筐体(10)の内面と僅かな隙間をおいて対向させると共に、第２筐体(20)をヒンジ機構(30)に対して最接近させた閉状態が設定される一方、図２に示すような開状態では、第１筐体(10)の内面と第２筐体(20)の内面を同一平面上に揃えると共に、第２筐体(20)をヒンジ機構(30)に対して最接近させた開状態が設定される。
【００３２】
従って、図１に示す閉状態では、第２筐体(20)を第１筐体(10)上に正確に重ね合わせることができ、図２に示す開状態では、第１筐体(10)と第２筐体(20)とを僅かな間隔Ｇをおいて接近させて、両筐体(10)(20)の閉状態で対向する面どうしを略同一平面とすることができる。
【００３３】
上記の如き折り畳み式電子機器(１)において、図２に示す筐体(10)(20)の開状態から図１に示す筐体(10)(20)の閉状態に至る過程にて、スライド機構(40)を搭載したことで、前述した図９に示すように、図９(ａ)中α１方向への力が第２筐体(20)に作用すると、第２筐体(20)が第１筐体(10)に乗り上げて(図９(ｄ)参照)、矢印β方向に異音と共に勢いよく回転してしまう。
【００３４】
そこで、本発明では、図７に示すように、第１筐体(10)の端面(18)に掛かり片(15)を突設し、端面(18)と開状態にて対向する第２筐体(20)の端面(28)に、掛かり片(15)と当接する受け部(25)を形成している。
【００３５】
これら掛かり片(15)及び受け部(25)は、筐体(10)(20)のキャビネットに直接形成したり、図２及び図７に示すように、別部材(50)(60)により形成することができる。これらは、図２に示すように、平行２軸ヒンジ(34)(35)の近傍に設けることができ、図示では左右２つとしている。なお、これらの位置や数は限定されるものではない。
【００３６】
掛かり片(15)は、図７に示すように、第１筐体(10)の外面側となるバックキャビネット(12)側を、第１筐体(10)の端面(18)から略垂直に延びる当接面(16)とし、内面側となるフロントキャビネット(11)側はテーパ(17)とすることができる。
【００３７】
また、掛かり片(15)と係合する受け部(25)は、前記掛かり片(15)の当接面(16)を受ける受け面(26)と、テーパ(17)を受けるテーパ受け面(24)を凹設した構成とすることができる。
【００３８】
上記掛かり片(15)及び受け部(25)は、図７(ａ)に示すように、筐体(10)(20)を開状態としたときに、掛かり片(15)が受け部(25)に侵入して、当接面(16)が受け面(26)と対向し、テーパ(17)がテーパ受け面(24)と対向する。
【００３９】
この状態から、図７(ａ)中αで示すように第２筐体(20)の回転方向の力を加えることで、第２筐体(20)は閉じ方向に回転する。
【００４０】
閉じ始めにおいて、スライド機構(40)のスプリング(43)(44)の付勢力により、第２筐体(20)は第１筐体(10)側に押し付けられているから、図７(ｂ)に示すように掛かり片(15)の先端(14)が受け部(25)の受け面(26)上を擦りながら、第２筐体(20)は、第１筐体(10)に乗り上げることなく回転する。
【００４１】
更に第２筐体(20)を閉じ方向に回転させると、その途上にて、図７(ｃ)に示すように、掛かり片(15)は受け部(25)から外れるが、この状態にて、第２筐体(20)の角部(27)は、第１筐体(10)の端面(18)に当たり、この当たり部分を支点として第２筐体(20)は第１筐体(10)に対して相対的に回転する。
【００４２】
更に第２筐体(20)を回転させると、図７(ｄ)に示すように、第２筐体(20)は、第１筐体(10)の角部(19)と当たり、該角部(19)を支点として第１筐体(10)に対して相対的に回転する。
【００４３】
このため、第２筐体(20)の回転の途上でも、第２筐体(20)が第１筐体(10)に乗り上げることを防止でき、更に第２筐体(20)を回転させることで、図７(ｅ)に示すように、第１筐体(10)と第２筐体(20)をスムーズに閉状態とすることができる。
【００４４】
なお、図７(ａ)において、第２筐体(20)の垂直な方向の力α１が大きく作用したとしても、掛かり片(15)の当接面(16)と、受け部(25)の受け面(26)との当接により、第２筐体(20)が押し上げられてしまうことは防止される。
【００４５】
当接面(16)と受け面(26)を図示のように端面(18)(28)に対して夫々略垂直に形成することで、力α１が作用しても、滑りを生ずることなく力α１を受けることができ、より効果的に第２筐体(20)の押上げを防止できる。
【００４６】
なお、本発明の各部構成は上記実施の形態に限らず、特許請求の範囲に記載の技術的範囲内で種々の変形が可能である。例えば、第１筐体(10)と第２筐体(20)とを入れ替えた構成、即ち第１筐体(10)にスライド部材を連結し、第２筐体(20)に掛かり片(15)、第１筐体(10)に受け部(25)を設けた構成に本発明を実施することも可能である。
【産業上の利用可能性】
【００４７】
本発明は、開状態から閉状態へ筐体を回転させる際、一方の筐体が他方の筐体に乗り上げてしまうことを防止し、スムーズな開閉を行うことのできる折り畳み式電子機器として有用である。
【符号の説明】
【００４８】
(１)  折り畳み式電子機器
(10)  第１筐体
(15)  掛かり片
(16)  当接面
(20)  第２筐体
(25)  受け部
(26)  受け面
(30)  ヒンジ機構
(31)  第１ヒンジ軸
(32)  第２ヒンジ軸
(34)  平行２軸ヒンジ
(35)  平行２軸ヒンジ
(41)  スライド部材
【図１】
2013118437.tif 000003
【図２】
2013118437.tif 000004
【図３】
2013118437.tif 000005
【図４】
2013118437.tif 000006
【図５】
2013118437.tif 000007
【図６】
2013118437.tif 000008
【図７】
2013118437.tif 000009
【図８】
2013118437.tif 000010
【図９】
2013118437.tif 000011